(57)【要約】      （修正有）【課題】データ損失を防ぐ、クラウドサービス提供装置及びクラウドサービス提供装置のメンテナンスのための管理方法を提供する。【解決手段】クラウドサービス提供装置１は、本体１８と、本体の一側に形成され、第１の貯蔵装置が連結され得る第１の連結部１１と、本体の一側に形成され、第２の貯蔵装置が連結され得る第２の連結部１２と、使用者端末との通信を行う通信部１３と、第１の連結部に第１の貯蔵装置が連結されると、第１の貯蔵装置と使用者端末が互いにデータを交換するように通信部を制御し、第１の連結部に第１の貯蔵装置が連結された状態で、第２の連結部に第２の貯蔵装置が連結されると、第１の貯蔵装置と第２の貯蔵装置が同期化されるように制御する制御部１４、及び制御部における第１の貯蔵装置と第２の貯蔵装置の相互間データ同期化中に問題が発生する貯蔵装置を強制フォーマットするフォーマット処理部１５を含む。【選択図】図１
2020030828.tif 000002
【特許請求の範囲】
【請求項１】
本体；
前記本体の一側に形成され、第１の貯蔵装置が連結され得る第１の連結部；
前記本体の一側に形成され、第２の貯蔵装置が連結され得る第２の連結部；
使用者端末との通信を行う通信部；
前記第１の連結部に前記第１の貯蔵装置が連結されると、前記第１の貯蔵装置と前記使用者端末が互いにデータを交換するように前記通信部を制御し、前記第１の連結部に前記第１の貯蔵装置が連結された状態で、第２の連結部に第２の貯蔵装置が連結されると、前記第１の貯蔵装置と前記第２の貯蔵装置が同期化されるように制御する制御部；及び、
前記制御部における前記第１の貯蔵装置と前記第２の貯蔵装置の相互間データ同期化中に問題が発生する貯蔵装置を強制フォーマットするフォーマット処理部、とを含む、
クラウドサービス提供装置。
【請求項２】
前記フォーマット処理部で貯蔵装置が強制フォーマットされる回数をカウンティングするカウンター；及び、
前記カウンターでカウンティングされた回数が予め設定された回数以上であれば、使用者端末に該貯蔵装置の入れ替え又はメンテナンスに要する現在状況情報を伝達するお知らせ部をさらに含む、
請求項１に記載のクラウドサービス提供装置。
【請求項３】
前記フォーマット処理部は、前記カウンターでカウントされた回数が予め設定された回数以上に問題が発生すれば、それ以上の強制フォーマットを行わないことを特徴とする、
請求項２に記載のクラウドサービス提供装置。
【請求項４】
現在状況情報は、前記第１の貯蔵装置及び前記第２の貯蔵装置の間のデータ同期化のための通信過程で発生する問題、又は行われた強制フォーマットに対するヒストリー（ｈｉｓｔｏｒｙ）過程及び結果の情報、及び前記第１の貯蔵装置及び前記第２の貯蔵装置にデータを貯蔵する過程において、前記第１の貯蔵装置及び前記第２の貯蔵装置からデータを貯蔵した状態に対する情報を含む、
請求項２に記載のクラウドサービス提供装置。
【請求項５】
前記制御部は、
前記第１の貯蔵装置と前記第１の連結部の連結が解除されてから、前記第１の貯蔵装置が前記第１の連結部にさらに連結されると、前記第１の貯蔵装置の連結が解除された時点から、前記第１の貯蔵装置がさらに連結された時点の間に、前記第２の貯蔵装置に貯蔵されたデータが前記第１の貯蔵装置に貯蔵されるように制御する、
請求項１に記載のクラウドサービス提供装置。
【請求項６】
前記制御部は、
前記第１の貯蔵装置が前記第１の連結部に連結されて、前記第２の貯蔵装置が前記第２の連結部に連結された状態で、前記第２の貯蔵装置と前記使用者端末が互いにデータを交換するように前記通信部を制御する、
請求項１に記載のクラウドサービス提供装置。
【請求項７】
前記制御部は、
前記第１の貯蔵装置が前記第１の連結部に連結されて、前記第２の貯蔵装置が前記第２の連結部に連結された状態で、前記第１の貯蔵装置の連結が解除されたものと確認されれば、前記第２の貯蔵装置と前記使用者端末が互いにデータを交換するように前記通信部を制御する、
請求項１に記載のクラウドサービス提供装置。
【請求項８】
前記制御部は、
前記第１の連結部に前記第１の貯蔵装置がさらに連結されると、前記第２の貯蔵装置の動作情報を参照して、前記第１の貯蔵装置と前記第２の貯蔵装置が同期化されるように制御する、
請求項７に記載のクラウドサービス提供装置。
【請求項９】
前記第２の貯蔵装置の動作情報は、
前記第１の貯蔵装置の連結が解除された時点、前記第１の貯蔵装置がさらに連結された時点、前記第１の貯蔵装置の連結が解除された時点から、前記第１の貯蔵装置がさらに連結された時点の間に、前記第２の貯蔵装置に貯蔵されたデータに対する情報を含む、
請求項８に記載のクラウドサービス提供装置。
【請求項１０】
第１の連結部に第１の貯蔵装置が連結されると、前記第１の貯蔵装置と使用者端末が互いにデータを交換するように通信部を制御するステップ；
前記第１の連結部に前記第１の貯蔵装置が連結された状態で、第２の連結部に第２の貯蔵装置が連結されると、前記第１の貯蔵装置と前記第２の貯蔵装置が同期化されるように制御するステップ；とを含む、
クラウドサービス提供装置の管理方法。
【請求項１１】
前記同期化中に問題が発生する貯蔵装置を強制フォーマットするステップ；
前記強制フォーマット回数をカウンティングするステップ；
前記カウンティングされた回数が予め設定された回数以上であれば、使用者端末に該貯蔵装置の入れ替え又はメンテナンスに要する現在状況情報を伝達するステップ、とを含む、
請求項１０に記載のクラウドサービス提供装置の管理方法。
【請求項１２】
前記カウンターでカウントされた回数が予め設定された回数以上に問題が発生すれば、それ以上の強制フォーマットを行わないことを特徴とする、
請求項１１に記載のクラウドサービス提供装置の管理方法。
【請求項１３】
現在状況情報は、前記第１の貯蔵装置及び前記第２の貯蔵装置の間のデータ同期化のための通信過程で発生する問題、又は行われた強制フォーマットに対するヒストリー（ｈｉｓｔｏｒｙ）過程及び結果の情報、及び前記第１の貯蔵装置及び前記第２の貯蔵装置にデータを貯蔵する過程において、前記第１の貯蔵装置及び前記第２の貯蔵装置からデータを貯蔵した状態に対する情報を含む、
請求項１１に記載のクラウドサービス提供装置の管理方法。
【請求項１４】
前記第１の貯蔵装置と前記第１の連結部の連結が解除されてから、前記第１の貯蔵装置が前記第１の連結部にさらに連結されると、前記第１の貯蔵装置の連結が解除された時点から、前記第１の貯蔵装置がさらに連結された時点の間に、前記第２の貯蔵装置に貯蔵されたデータが前記第１の貯蔵装置に貯蔵されている、
請求項１０に記載のクラウドサービス提供装置の管理方法。
【請求項１５】
前記第１の貯蔵装置が前記第１の連結部に連結されて、前記第２の貯蔵装置が前記第２の連結部に連結された状態で、前記第２の貯蔵装置と前記使用者端末が互いにデータを交換する、
請求項１０に記載のクラウドサービス提供装置の管理方法。
【請求項１６】
前記第１の貯蔵装置が前記第１の連結部に連結されて、前記第２の貯蔵装置が前記第２の連結部に連結された状態で、前記第１の貯蔵装置の連結が解除されたものと確認されれば、前記第２の貯蔵装置と前記使用者端末が互いにデータを交換する、
請求項１０に記載のクラウドサービス提供装置の管理方法。
【請求項１７】
前記第１の連結部に前記第１の貯蔵装置がさらに連結されると、前記第２の貯蔵装置の動作情報を参照して、前記第１の貯蔵装置と前記第２の貯蔵装置が同期化されている、
請求項１６に記載のクラウドサービス提供装置の管理方法。
【請求項１８】
前記第２の貯蔵装置の動作情報は、
前記第１の貯蔵装置の連結が解除された時点、前記第１の貯蔵装置がさらに連結された時点、前記第１の貯蔵装置の連結が解除された時点から、前記第１の貯蔵装置がさらに連結された時点の間に、前記第２の貯蔵装置に貯蔵されたデータに対する情報を含む、
請求項１７に記載のクラウドサービス提供装置の管理方法。
【発明の詳細な説明】
【技術分野】
【０００１】
本発明は，クラウドサービス提供装置及びクラウドサービス提供装置のメンテナンスのための管理方法に関する。
【背景技術】
【０００２】
最近、ハードウェア性能の向上及びハードウェアで処理されるデータの品質の向上に伴い、ＰＣ又はスマートフォン等のような各種デジタル機器で処理されるデータの大きさが増加した。各種デジタル機器は、データを貯蔵するための別途メモリを含んでおり、これらメモリの保存容量もハードウェアの発展に伴い、増加し続いている。
【０００３】
しかし、デジタル機器に含むメモリの容量には限界があり、大容量のメモリを使用しても、引き続いて蓄積されるデータを全て貯蔵することは不可能である。最近は、このようなメモリ容量が足りない問題を解決するためにクラウドサービスの使用が一般化されている。
【０００４】
クラウドサービスの使用例として、クラウドサービスを提供する外部会社のサーバーを用いて使用者のデータを貯蔵して管理する方法がある。より具体的には、クラウドサービスの使用者は、クラウドサービスを提供する外部会社にデータの貯蔵期間及び容量に応じる使用料を支払い、会社から割り当てられた貯蔵空間に個人のデータを貯蔵することができ、使用者端末を介して場所及び時間に制限することなく自分のデータに近付くことができる。
【０００５】
このように、外部会社の提供するクラウドサービスを利用する場合、別途個人用データ貯蔵装置を用いることなく、大容量のデータを貯蔵することができる長所がある。しかし、外部会社のサーバーに大容量のデータを貯蔵するためには高い使用料を支払うべきであり、会社のサーバーに対するハッキングによって個人データの外部への流出が発生する可能性も存在する。
【０００６】
クラウドサービスの他の使用例として、個人用クラウド機器を介してデータを貯蔵して管理する方法がある。個人用クラウド機器の使用者は、自分の家又は事務室等の個人の空間にクラウド機器を設置した後、有無線通信を使用してクラウド機器に接続することでデータを貯蔵して管理することができる。
【０００７】
このような個人用クラウド機器を使用する場合、使用者は、クラウド機器の購入代のほかは、クラウドサービスの使用料のような追加費用を支払う必要がない。また、使用者は、個人用クラウド機器の通信連結を個人の空間以外の空間と断絶させることによって、ハッキングによる個人データの外部への流出を防ぐこともできる。
【０００８】
しかし、個人用クラウド機器の貯蔵装置に故障が発生する場合、貯蔵されたデータの損失が発生し得るし、使用者は、故障した貯蔵装置の修理が完了するまで、クラウド機器を介してデータを貯蔵して管理することができない不都合を経験し得る。また、貯蔵装置の故障によって、損失したデータを復旧するために外部会社にデータの復旧を依頼することになれば、個人データが外部へ流出する状況が発生し得て問題となる。
【発明の概要】
【発明が解決しようとする課題】
【０００９】
本発明は、クラウドサービス提供装置に連結された少なくとも２つ以上の貯蔵装置の相互間データ同期化のための通信中に発生する問題によるデータの損失を防ぐことができるクラウドサービス提供装置及び管理方法を提供することを目的とする。
【００１０】
また、本発明は、貯蔵装置に問題が発生する際に強制フォーマット（ｆｏｒｍａｔ）によって、自ら既存の貯蔵装置の誤りを復旧することができるクラウドサービス提供装置及び管理方法を提供することを目的とする。
【００１１】
本発明の目的は、以上に言及した目的に制限されないし、言及していない本発明の他の目的及び長所は、下記の説明によって理解することができ、本発明の実施形態によってより明らかに理解される。また、本発明の目的及び長所は、特許請求の範囲に示した手段及びその組み合わせによって実現できることが分かりやすい。
【課題を解決するための手段】
【００１２】
かかる目的を達成するために本発明は、本体；前記本体の一側に形成され、第１の貯蔵装置が連結され得る第１の連結部；前記本体の一側に形成され、第２の貯蔵装置が連結され得る第２の連結部；使用者端末との通信を行う通信部；前記第１の連結部に前記第１の貯蔵装置が連結されると、前記第１の貯蔵装置と前記使用者端末が互いにデータを交換するように前記通信部を制御し、前記第１の連結部に前記第１の貯蔵装置が連結された状態で、第２の連結部に第２の貯蔵装置が連結されると、前記第１の貯蔵装置と前記第２の貯蔵装置が同期化されるように制御する制御部；及び前記制御部における前記第１の貯蔵装置と前記第２の貯蔵装置の相互間データ同期化中に問題が発生する貯蔵装置を強制フォーマットするフォーマット処理部、とを含む。
【００１３】
また、前記フォーマット処理部における貯蔵装置が強制フォーマットされる回数をカウンティングするカウンター；及び前記カウンターでカウンティングされた回数が予め設定された回数以上であれば、使用者端末に該貯蔵装置の入れ替え又はメンテナンスに要する現在状況情報を伝達するお知らせ部をさらに含む。
【００１４】
また、前記フォーマット処理部は、前記カウンターでカウントされた回数が予め設定された回数以上に問題が発生すれば、それ以上の強制フォーマットを行わないことを特徴とする。
【００１５】
また、現在状況情報は、前記第１の貯蔵装置及び前記第２の貯蔵装置の間のデータ同期化のための通信過程で発生する問題、又は行われた強制フォーマットに対するヒストリー（ｈｉｓｔｏｒｙ）過程及び結果の情報、及び前記第１の貯蔵装置及び前記第２の貯蔵装置にデータを貯蔵する過程において、前記第１の貯蔵装置及び前記第２の貯蔵装置からデータを貯蔵した状態に対する情報を含む。
【００１６】
また、前記制御部は、前記第１の貯蔵装置と前記第１の連結部の連結が解除されてから、前記第１の貯蔵装置が前記第１の連結部にさらに連結されると、前記第１の貯蔵装置の連結が解除された時点から、前記第１の貯蔵装置がさらに連結された時点の間に、前記第２の貯蔵装置に貯蔵されたデータが前記第１の貯蔵装置に貯蔵されるように制御する。
【００１７】
また、前記制御部は、前記第１の貯蔵装置が前記第１の連結部に連結されて、前記第２の貯蔵装置が前記第２の連結部に連結された状態で、前記第２の貯蔵装置と前記使用者端末が互いにデータを交換するように前記通信部を制御する。
【００１８】
また、前記制御部は、前記第１の貯蔵装置が前記第１の連結部に連結されて、前記第２の貯蔵装置が前記第２の連結部に連結された状態で、前記第１の貯蔵装置の連結が解除されたものと確認されれば、前記第２の貯蔵装置と前記使用者端末が互いにデータを交換するように前記通信部を制御する。
【００１９】
また、前記制御部は、前記第１の連結部に前記第１の貯蔵装置がさらに連結されると、前記第２の貯蔵装置の動作情報を参照して、前記第１の貯蔵装置と前記第２の貯蔵装置が同期化されるように制御する。
【００２０】
また、前記第２の貯蔵装置の動作情報は、前記第１の貯蔵装置の連結が解除された時点、前記第１の貯蔵装置がさらに連結された時点、前記第１の貯蔵装置の連結が解除された時点から、前記第１の貯蔵装置がさらに連結された時点の間に、前記第２の貯蔵装置に貯蔵されたデータに対する情報を含む。
【００２１】
また、かかる目的を達成するために本発明は、第１の連結部に第１の貯蔵装置が連結されると、前記第１の貯蔵装置と使用者端末が互いにデータを交換するように通信部を制御するステップ；前記第１の連結部に前記第１の貯蔵装置が連結された状態で、第２の連結部に第２の貯蔵装置が連結されると、前記第１の貯蔵装置と前記第２の貯蔵装置が同期化されるように制御するステップ；前記同期化中に問題が発生する貯蔵装置を強制フォーマットするステップ；前記強制フォーマット回数をカウンティングするステップ；前記カウンティングされた回数が予め設定された回数以上であれば、使用者端末に該貯蔵装置の入れ替え又はメンテナンスに要する現在状況情報を伝達するステップを含む。
【００２２】
また、前記第１の貯蔵装置と前記第１の連結部の連結が解除されてから、前記第１の貯蔵装置が前記第１の連結部にさらに連結されると、前記第１の貯蔵装置の連結が解除された時点から、前記第１の貯蔵装置がさらに連結された時点の間に、前記第２の貯蔵装置に貯蔵されたデータが前記第１の貯蔵装置に貯蔵されるように制御するステップをさらに含む。
【００２３】
また、前記第１の貯蔵装置が前記第１の連結部に連結されて、前記第２の貯蔵装置が前記第２の連結部に連結された状態で、前記第２の貯蔵装置と前記使用者端末が互いにデータを交換するように前記通信部を制御するステップをさらに含む。
【００２４】
また、前記第１の貯蔵装置が前記第１の連結部に連結されて、前記第２の貯蔵装置が前記第２の連結部に連結された状態で、前記第１の貯蔵装置の連結が解除されたものと確認されれば、前記第２の貯蔵装置と前記使用者端末が互いにデータを交換するように前記通信部を制御するステップをさらに含む。
【００２５】
また、前記第１の連結部に前記第１の貯蔵装置がさらに連結されると、前記第２の貯蔵装置の動作情報を参照して、前記第１の貯蔵装置と前記第２の貯蔵装置が同期化されるように制御するステップをさらに含む。
【００２６】
また、前記第２の貯蔵装置の動作情報は、前記第１の貯蔵装置の連結が解除された時点、前記第１の貯蔵装置がさらに連結された時点、前記第１の貯蔵装置の連結が解除された時点から、前記第１の貯蔵装置がさらに連結された時点の間に、前記第２の貯蔵装置に貯蔵されたデータに対する情報を含む。
【発明の効果】
【００２７】
前述したような本発明によれば、クラウドサービス提供装置に連結された少なくとも２つ以上の貯蔵装置の相互間データ同期化のための通信中に発生する問題によるデータの損失を防ぐことができる。
【００２８】
また、本発明によれば、貯蔵装置に問題が発生する際に強制フォーマット（ｆｏｒｍａｔ）によって、自ら既存の貯蔵装置の誤りを復旧できるようにすることで、既存の貯蔵装置の故障によるデータの損失を予め防ぐことができる。
【００２９】
上述した効果および本発明の具体的な効果は、以下に発明を実施するための具体的な事項を説明しながら共に記述する。
【図面の簡単な説明】
【００３０】
【図１】本発明の一実施形態によるクラウドサービス提供装置を概略的に示したブロック図。
【図２】本発明の一実施形態によるクラウドサービス提供装置の構造を示した斜視図。
【図３】本発明の他の実施形態によるクラウドサービス提供装置の構造を示した斜視図。
【図４】本発明の一実施形態によるクラウドサービス提供装置の管理方法を示した流れ図。
【図５】本発明の一実施形態によるクラウドサービス提供装置を介して第２の使用者端末を制御する様子を示した図面。
【発明を実施するための形態】
【００３１】
前述した目的、特徴及び長所は、添付図を参照して詳細に後述され、これによって、本発明が属する技術分野における通常の知識を有する者が本発明の技術的思想を容易に実施することができる。本発明の説明において、本発明に係る公知技術に対する具体的な説明が本発明の要旨を曖昧にすると判断される場合には詳細な説明を省略する。以下では、添付図を参照して、本発明による好ましい実施形態を詳説する。図面における同じ参照符号は、同一又は類似の構成要素を示すものに使われる。
【００３２】
図１は、本発明の一実施形態によるクラウドサービス提供装置を概略的に示したブロック図である。
【００３３】
図１を参照すれば、本発明の一実施形態によるクラウドサービス提供装置１は、第１の連結部１１、第２の連結部１２、通信部１３、制御部１４、フォーマット処理部１５、カウンター１６、お知らせ部１７、及び本体１８を含む。
【００３４】
第１の連結部１１は、本体１８の一側に形成され、第１の貯蔵装置と連結される。第１の貯蔵装置は、使用者端末のデータを貯蔵するためのデータ貯蔵装置である。
【００３５】
本発明の一実施形態において、第１の貯蔵装置は、磁気ディスクにデータを貯蔵するハードディスクドライブ（ＨＤＤ，Ｈａｒｄ  Ｄｉｓｋ  Ｄｒｉｖｅ）又は半導体メモリにデータを貯蔵するソリッドステートドライブ（ＳＳＤ，Ｓｏｌｉｄ  Ｓｔａｔｅ  Ｄｒｉｖｅ）を含むデータ貯蔵装置からなってもよい。第１の貯蔵装置として用いられるデータ貯蔵装置の種類は、貯蔵されるデータの大きさ及び種類によって異なる。
【００３６】
第２の連結部１２は、本体１８の一側に形成され、第２の貯蔵装置と連結される。第２の貯蔵装置は、第１の貯蔵装置に貯蔵されたデータをバックアップするためのデータ貯蔵装置である。
【００３７】
本発明の一実施形態において、第２の貯蔵装置は、第１の貯蔵装置と同様、磁気ディスクにデータを貯蔵するハードディスクドライブ（ＨＤＤ，Ｈａｒｄ  Ｄｉｓｋ  Ｄｒｉｖｅ）又は半導体メモリにデータを貯蔵するソリッドステートドライブ（ＳＳＤ，Ｓｏｌｉｄ  Ｓｔａｔｅ  Ｄｒｉｖｅ）を含むデータ貯蔵装置からなってもよい。第２の貯蔵装置として用いられるデータ貯蔵装置の種類は、貯蔵されるデータの大きさ及び種類によって異なる。
【００３８】
本発明の一実施形態において、本体１８の一側には、２つ以上の第２の連結部１２が形成されてもよい。このとき、２つ以上の第２の連結部１２は、それぞれ２つ以上の第２の貯蔵装置と連結されてもよい。
【００３９】
すなわち、本発明のクラウドサービス提供装置は、２つ以上の第２の貯蔵装置を用いて第１の貯蔵装置のデータをバックアップすることができる。このように、 ２つ以上の第２の貯蔵装置が用いられる場合、図４によって後述するクラウドサービス提供装置の管理方法は、それぞれの第２の貯蔵装置に対し独立して行われてもよい。
【００４０】
通信部１３は、使用者端末と通信を行い、第１の連結部１１に第１の貯蔵装置が連結されると、第１の貯蔵装置と使用者端末の間でデータを伝達する。同様、通信部１３は、第２の連結部１２に第２の貯蔵装置が連結されると、第２の貯蔵装置と使用者端末の間でデータを伝達する。
【００４１】
本発明の一実施形態において、通信部１３は、有線通信又は無線通信を介して使用者端末とデータを交換することができる。例えば、通信部１３は、ＷＬＡＮ（Ｗｉｒｅｌｅｓｓ  ＬＡＮ）、ワイファイ（Ｗｉ−Ｆｉ）、ワイブロ（Ｗｉｂｒｏ）及びブルートゥース（Ｂｌｕｅｔｏｏｔｈ）方式を含む無線通信を使用して使用者端末と通信を行うことができる。他の例として、通信部１３は、ＬＡＮ方式を含む有線通信を使用して使用者端末と通信を行うことができる。ここで、通信部１３と通信を行う使用者端末は、図５によって後述する第１の使用者端末５１及び第２の使用者端末５２をいずれも含んでいてもよい。
【００４２】
本発明の一実施形態において、通信部１３が使用する通信方式は、使用者端末とクラウドサービス提供装置１との間の距離、クラウドサービス提供装置１の設置場所、又は使用者端末とクラウドサービス提供装置１の性能によって異なる。
【００４３】
制御部１４は、第１の連結部１１に第１の貯蔵装置が連結されると、第１の貯蔵装置と使用者端末が互いにデータを交換するように通信部１３を制御する。
【００４４】
本発明の一実施形態において、制御部１４は、使用者端末のデータをリアルタイムで第１の貯蔵装置に貯蔵することができる。すなわち、第１の貯蔵装置は、使用者端末に貯蔵されたデータに対するリアルタイムバックアップ機能を行うことができる。
【００４５】
例えば、第１の貯蔵装置に貯蔵されるデータは、使用者端末に貯蔵されたデータと常に同一に維持され得る。すなわち、使用者端末に新たなデータが貯蔵される場合、第１の貯蔵装置にも同一のデータが貯蔵されてもよく、使用者端末に貯蔵されたデータが削除される場合、第１の貯蔵装置に貯蔵された同一のデータも削除されてもよい。
【００４６】
他の例として、第１の貯蔵装置は、使用者端末から伝送されたデータを蓄積し続けることができる。すなわち、使用者端末に新たなデータが貯蔵される場合、第１の貯蔵装置にも同一のデータが貯蔵されてもよいが、使用者端末に貯蔵されたデータが削除されても、第１の貯蔵装置に貯蔵された同一のデータは削除されないこともある。
【００４７】
本発明の一実施形態において、制御部１４は、予め設定された周期に応じて使用者端末のデータを第１の貯蔵装置に貯蔵することができる。例えば、予め設定された周期が１時間である場合、制御部１４は、第１の連結部１１に第１の貯蔵装置が連結されると、使用者端末のデータが１時間毎に第１の貯蔵装置に貯蔵されるように制御することができる。従って、第１の貯蔵装置に貯蔵されるデータは、１時間毎に使用者端末に貯蔵されたデータと同一のデータに更新され得る。
【００４８】
本発明の一実施形態において、制御部１４は、使用者の要請がある場合だけ使用者端末のデータを第１の貯蔵装置に貯蔵することができる。すなわち、使用者は、第１の貯蔵装置に貯蔵しようとするデータ及び貯蔵するデータの貯蔵時点を直接に選択してデータの貯蔵を要請することができ、制御部１４は、使用者の要請に応じて使用者が選択した使用者端末に貯蔵されたデータを第１の貯蔵装置に貯蔵することができる。
【００４９】
本発明の一実施形態において、使用者は、使用者端末を介して第１の貯蔵装置に貯蔵されたデータの内容を確認することができる。例えば、第１の貯蔵装置に写真ファイルが貯蔵された場合、制御部１４は、使用者の要請に応じて第１の貯蔵装置に貯蔵された写真ファイルを使用者端末の画面に表示することができる。他の例において、第１の貯蔵装置に音楽ファイルが貯蔵された場合、制御部１４は、使用者の要請に応じて使用者端末を介して第１の貯蔵装置に貯蔵された音楽ファイルを再生することができる。
【００５０】
制御部１４は、第１の連結部１１に第１の貯蔵装置が連結された状態で、第２の連結部１２に第２の貯蔵装置が連結されると、第１の貯蔵装置と第２の貯蔵装置が同期化されるように制御する。ここで、第１の貯蔵装置と第２の貯蔵装置の同期化は、第１の貯蔵装置に貯蔵されたデータと同一のデータが第２の貯蔵装置に貯蔵されることを意味する。
【００５１】
本発明の一実施形態において、制御部１４は、第２の貯蔵装置に貯蔵されたデータが第１の貯蔵装置に貯蔵されたデータと同一のデータになるように、第１の貯蔵装置のデータを第２の貯蔵装置に貯蔵することができる。すなわち、第２の貯蔵装置は、第１の貯蔵装置に貯蔵されたデータに対するバックアップ機能を行うことができる。
【００５２】
制御部１４は、予め設定された周期に応じて第１の貯蔵装置と第２の貯蔵装置を同期化する。本発明の一実施形態において、制御部１４は、第１の貯蔵装置のデータを予め設定された周期に応じて第２の貯蔵装置に貯蔵することができる。例えば、予め設定された周期が１時間である場合、制御部１４は、１時間毎に第１の貯蔵装置のデータを第２の貯蔵装置に貯蔵することができる。従って、第２の貯蔵装置に貯蔵されるデータは、１時間毎に第１の貯蔵装置に貯蔵されたデータと同一のデータに更新され得る。
【００５３】
従って、使用者は、第１の貯蔵装置に故障が発生し、第１の貯蔵装置に貯蔵されたデータが損なわれても、第２の貯蔵装置に貯蔵された第１の貯蔵装置のデータを使用することができる。特に、前述したように、第１の貯蔵装置に貯蔵されるデータが使用者端末に貯蔵されたデータと常に同一に維持されるように設定された場合、使用者の不注意により、使用者端末及び第１の貯蔵装置のデータが全て削除される場合があり、このときも使用者は、第２の貯蔵装置に貯蔵された第１の貯蔵装置のデータを使用することができる。
【００５４】
すなわち、本発明のクラウドサービス提供装置は、第１の貯蔵装置に貯蔵されたデータを予め設定された周期に応じて第２の貯蔵装置に貯蔵することで、第１の貯蔵装置の故障によるデータの損失を防ぐことができる長所がある。
【００５５】
制御部１４は、第１の貯蔵装置が第１の連結部１１に連結されて、第２の貯蔵装置が第２の連結部１２に連結された状態で、第２の貯蔵装置と使用者端末が互いにデータを交換するように通信部１３を制御する。
【００５６】
すなわち、制御部１４は、使用者の要請に応じて第２の貯蔵装置と使用者端末が互いにデータを交換するように通信部１３を制御することができる。従って、使用者は、使用者端末を介して第２の貯蔵装置に貯蔵されたデータを確認、修正するか削除することができる。
【００５７】
フォーマット処理部１５は、制御部１４における第１の貯蔵装置と第２の貯蔵装置の相互間データ同期化中に問題が発生する貯蔵装置を強制フォーマットする。この際に発生する問題は、システムの不安定、データ同期化の問題及びハードウェアの問題を含む。
【００５８】
例えば、第１の貯蔵装置と第２の貯蔵装置が互いに相互データ同期化のために通信を行うが、この過程において、第１の貯蔵装置が通信を行う過程で第２の貯蔵装置のシステムが不安定であるかデータの同期に問題が発生すれば、フォーマット処理部１５は、第２の貯蔵装置を強制フォーマットする。その反面、第２の貯蔵装置が通信を行う過程で第１の貯蔵装置に問題が発生すれば、フォーマット処理部１５は、第１の貯蔵装置を強制フォーマットする。
【００５９】
制御部１４は、フォーマット処理部１５で強制フォーマットが完了されると、第１の貯蔵装置と第２の貯蔵装置の相互間データ同期化作業をさらに行う。
【００６０】
一方、フォーマット処理部１５は、予め設定された回数未満に問題が発生すれば、問題が発生する度に該貯蔵装置の強制フォーマットをさらに行う。また、フォーマット処理部１５０は、予め設定された回数以上に問題が発生すれば、それ以上の強制フォーマットを行わない。
【００６１】
カウンター１６は、フォーマット処理部１５で貯蔵装置が強制フォーマットされる回数をカウンティングする。カウンティングされる回数は、貯蔵装置別にカウンティングされ、カウンティングされた回数が予め設定された回数と比較する。
【００６２】
お知らせ部１７は、カウンター１６でカウントされた回数が予め設定された回数以上であれば、使用者端末に該貯蔵装置の入れ替え又はメンテナンスに要する現在状況情報を伝達する。お知らせ部１７は、使用者端末へ現在状況情報を伝達する方法として文字、電子メールを含む。
【００６３】
このとき、現在状況情報は、第１の連結部１１及び第２の連結部１２にそれぞれ第１の貯蔵装置及び第２の貯蔵装置が連結された後、第１の貯蔵装置及び第２の貯蔵装置にデータを貯蔵する過程において、第１の貯蔵装置及び第２の貯蔵装置からデータを貯蔵した状態について使用者に知らせるための情報を含む。例えば、第１の貯蔵装置及び第２の貯蔵装置に何日何時のデータまで貯蔵したという情報を含む。
【００６４】
また、現在状況情報は、第１の貯蔵装置及び第２の貯蔵装置の間のデータ同期化のための通信過程に発生する問題又はフォーマット処理部１５で行われた強制フォーマットに対するヒストリー（ｈｉｓｔｏｒｙ）を記録して、その過程及び結果を使用者に知らせるための情報を含む。例えば、使用者に知らせる情報は、第１の貯蔵装置のデータ同期化過程に問題が発生し、第１の貯蔵装置を強制フォーマットする場合、第１の貯蔵装置を強制フォーマットして、フォーマットが成功的に行われたかに対する結果及びフォーマット回数、そしてフォーマット後にデータ同期が完了したか否かを含む。
【００６５】
一方、制御部１４は、第１の貯蔵装置が第１の連結部１１に連結されて、第２の貯蔵装置が第２の連結部１２に連結された状態で、第１の貯蔵装置の連結が解除されたものと確認されれば、第２の貯蔵装置と使用者端末が互いにデータを交換するように通信部１３を制御する。
【００６６】
本発明における第１の連結部１１と第１の貯蔵装置の連結の解除は、使用者が第１の貯蔵装置を第１の連結部１１から直接に分離する場合、及び第１の貯蔵装置に故障が発生し、使用者端末のデータが第１の貯蔵装置に正常に貯蔵されない場合を含む。
【００６７】
本発明の一実施形態において、制御部１４は、第１の連結部１１と第１の貯蔵装置の連結が解除された場合、使用者端末のデータが第１の貯蔵装置ではない第２の貯蔵装置に貯蔵されるように制御することができる。すなわち、第１の連結部１１と第１の貯蔵装置の連結が解除されると、第１の貯蔵装置が行っていたバックアップ機能を第２の貯蔵装置がその代わりに行うことができる。
【００６８】
このように、本発明のクラウドサービス提供装置は、第１の貯蔵装置に故障が発生する場合、第２の貯蔵装置に直接にデータを貯蔵することで、常時データ貯蔵機能を行える長所がある。
【００６９】
制御部１４は、第１の連結部１１に第１の貯蔵装置がさらに連結されると、第２の貯蔵装置の動作情報を参照して、第１の貯蔵装置と第２の貯蔵装置が同期化されるように制御する。ここで、第１の貯蔵装置と第２の貯蔵装置の同期化は、第２の貯蔵装置に貯蔵されたデータと同一のデータが第１の貯蔵装置に貯蔵されることを意味する。
【００７０】
このとき、第２の貯蔵装置の動作情報は、第１の貯蔵装置の連結が解除された時点、第１の貯蔵装置がさらに連結された時点、第１の貯蔵装置の連結が解除された時点から、第１の貯蔵装置がさらに連結された時点の間に、第２の貯蔵装置に貯蔵されたデータに対する情報を含む。
【００７１】
本発明の一実施形態において、第１の連結部１１に第１の貯蔵装置がさらに連結されることは、使用者が第１の貯蔵装置を第１の連結部１１に直接に連結する場合、及び故障が発生していた第１の貯蔵装置の故障が回復する場合を含む。
【００７２】
本発明の一実施形態において、第１の連結部１１に第１の貯蔵装置がさらに連結されると、制御部１４は、第１の貯蔵装置に貯蔵されたデータが第２の貯蔵装置に貯蔵されたデータと同一のデータになるように、第２の貯蔵装置のデータを第１の貯蔵装置に貯蔵することができる。すなわち、第１の貯蔵装置の連結が解除されたうちに、第２の貯蔵装置は、第１の貯蔵装置に代えてバックアップ機能を行うことができ、第１の貯蔵装置がさらに第１の連結部１１に連結されると、第１の貯蔵装置の連結が解除されたうちに、第２の貯蔵装置に貯蔵されていたデータがさらに第１の貯蔵装置に貯蔵されてもよい。
【００７３】
このように、第２の貯蔵装置に貯蔵されていたデータを第１の貯蔵装置に貯蔵するために制御部１４は、第１の貯蔵装置の連結が解除された時点、第１の貯蔵装置がさらに連結された時点、及び第１の貯蔵装置の連結が解除された時点から、第１の貯蔵装置がさらに連結された時点の間に、第２の貯蔵装置に貯蔵されたデータに対する情報を含む第２の貯蔵装置動作情報を貯蔵することができる。制御部１４は、貯蔵された第２の貯蔵装置動作情報を参照して、第２の貯蔵装置のデータを第１の貯蔵装置に貯蔵することができる。
【００７４】
すなわち、本発明のクラウドサービス提供装置は、第１の貯蔵装置の故障が回復する場合、第１の貯蔵装置の故障が発生したうちに、第２の貯蔵装置に貯蔵されたデータをさらに第１の貯蔵装置に貯蔵することで、自ら第１の貯蔵装置のデータを復旧することができる長所がある。
【００７５】
前述したように、本体１８は、一側に第１の連結部１１及び第２の連結部１２が形成される。本発明の一実施形態において、通信部１３、制御部１４、フォーマット処理部１５、カウンター１６及びお知らせ部１７は、本体１８の内部に形成されてもよい。
【００７６】
以下では、図２〜図３によって本発明の実施形態によるクラウドサービス提供装置の構造を説明する。
【００７７】
図２は、本発明の一実施形態によるクラウドサービス提供装置の構造を示した斜視図である。
【００７８】
図２を参照すれば、本発明の一実施形態によるクラウドサービス提供装置１は、本体１８の上端に第１の連結部１１及び第２の連結部１２が形成されてもよい。第１の連結部１１及び第２の連結部１２は、それぞれ第１の貯蔵装置及び第２の貯蔵装置が挿入され得るスロット（Ｓｌｏｔ）状からなってもよい。さらに図２を参照すれば、第１の貯蔵装置１１０がスロット状の第１の連結部１１に挿入された様子、及び第２の連結部１２が第２の貯蔵装置と分離された様子が示されている。
【００７９】
図２に示していないが、前述したように、本発明の一実施形態によるクラウドサービス提供装置１は、本体１８の一側に２つ以上の第２の連結部１２が形成されてもよい。
【００８０】
すなわち、使用者は、スロット状の連結部を使用して貯蔵装置と連結部を容易に連結又は分離することができる。従って、使用者は、貯蔵装置に故障が発生するか、貯蔵装置にそれ以上のデータを貯蔵することができない場合、既存の貯蔵装置を分離して、新しい貯蔵装置を連結部に挿入することで、簡便に貯蔵装置を入れ替ることができる。
【００８１】
本発明の一実施形態において、本体１８の一側には操作部２５が形成されてもよい。使用者は、操作部２５を介して第１の貯蔵装置及び第２の貯蔵装置の間のデータ移動、複写又は第１の貯蔵装置及び第２の貯蔵装置に貯蔵されたデータの削除命令を入力することができる。図２に示していないが、通信部１３、制御部１４、フォーマット処理部１５、カウンター１６及びお知らせ部１７は、本体１８の内部に位置してもよい。
【００８２】
さらに図２を参照すれば、本発明の一実施形態によるクラウドサービス提供装置１は、本体１８の一側に、第１の貯蔵装置状態表示部２１及び第２の貯蔵装置状態表示部２２が形成されてもよい。制御部１４は、第１の貯蔵装置状態表示部２１及び第２の貯蔵装置状態表示部２２に含まれた照明を制御することで、第１の貯蔵装置及び第２の貯蔵装置の動作状態を表示することができる。
【００８３】
図３は、本発明の他の実施形態によるクラウドサービス提供装置の構造を示した斜視図である。
【００８４】
図３を参照すれば、本発明の他の実施形態によるクラウドサービス提供装置１は、外部ケース３をさらに含んでいてもよい。図面に示していないが、外部ケース３は、図２において前述した本体１８が内部に含まれてもよい。外部ケース３は、汚染物質及び外部の衝撃から本体１８及び貯蔵装置等を保護することができる。
【００８５】
外部ケース３の一側には、第１の挿入部３７及び第２の挿入部３８が形成されてもよい。ここで、第１の挿入部３７は、第１の貯蔵装置が挿入される通路であり、第１の貯蔵装置は、第１の挿入部３７に挿入され、本体１８の一側に形成された第１の連結部１１と連結されてもよい。同様、第２の挿入部３８は、第２の貯蔵装置が挿入される通路であり、第２の貯蔵装置は、第２の挿入部３８に挿入され、本体１８の一側に形成された第２の連結部１２と連結されてもよい。このとき、第１の挿入部３７及び第２の挿入部３８は、第１の連結部１１及び第２の連結部１２と連結された第１の貯蔵装置及び第２の貯蔵装置を固定することができる。
【００８６】
前述したように、本発明の一実施形態によるクラウドサービス提供装置１は、本体１８の一側に２つ以上の第２の連結部１２が形成されてもよい。従って、図３に示していないが、外部ケース３の一側には、２つ以上の第２の連結部１２の個数と同じ個数の第２の挿入部３８が形成されてもよい。
【００８７】
図２において前述したように、第１の連結部１１及び第２の連結部１２は、それぞれ第１の貯蔵装置及び第２の貯蔵装置が挿入して連結され得るスロット（Ｓｌｏｔ）状からなってもよい。すなわち、使用者は、外部ケース３の挿入部を介して貯蔵装置を挿入することで、貯蔵装置とスロット状の連結部を容易に連結又は分離することができる。
【００８８】
さらに図３を参照すれば、第１の貯蔵装置１１０が第１の挿入部３７を介して挿入される様子が示されている。一方、図３に示していないが、第２の貯蔵装置は、第２の挿入部３８を介して挿入され、第２の連結部１２と連結されており、第２の挿入部３８がカバー３８１で閉鎖されている。すなわち、貯蔵装置が挿入部を介して完全に挿入して連結部と連結されると、挿入部は、カバー３８１で閉鎖されてもよい。カバー３８１は、外部ケース３の内部へ外部の汚染物質が流入することを防ぐとともに、外部の衝撃から貯蔵装置を保護することができる。
【００８９】
本発明の一実施形態において、操作部３５は、外部ケース３の一側に形成されてもよい。使用者は、操作部３５を介して第１の貯蔵装置及び第２の貯蔵装置の間のデータ移動、複写又は第１の貯蔵装置及び第２の貯蔵装置に貯蔵されたデータの削除命令を入力することができる。
【００９０】
さらに図３を参照すれば、本発明の一実施形態によるクラウドサービス提供装置１は、外部ケース３の一側に、第１の貯蔵装置状態表示部３１及び第２の貯蔵装置状態表示部３２が形成されてもよい。制御部１４は、第１の貯蔵装置状態表示部３１及び第２の貯蔵装置状態表示部３２に含まれた照明を制御することで、第１の貯蔵装置及び第２の貯蔵装置の動作状態を表示することができる。
【００９１】
以下では、図４によって本発明の一実施形態によるクラウドサービス提供装置の管理方法の過程を詳説する。
【００９２】
図４は、本発明の一実施形態によるクラウドサービス提供装置の管理方法の過程を示した流れ図である。
【００９３】
取りあえず、制御部１４は、第１の連結部１１に第１の貯蔵装置が連結されると、第１の貯蔵装置と使用者端末が互いにデータを交換するように通信部１３を制御することで、使用者端末のデータを第１の貯蔵装置に貯蔵する（Ｓ４０１）。
【００９４】
前述したように、本発明の一実施形態における制御部１４は、使用者端末のデータをリアルタイムで第１の貯蔵装置に貯蔵することができる。すなわち、第１の貯蔵装置は、使用者端末に貯蔵されたデータに対するリアルタイムバックアップ機能を行うことができる。
【００９５】
本発明の一実施形態において、第１の貯蔵装置に貯蔵されるデータは、使用者端末に貯蔵されたデータと常に同一に維持することができる。すなわち、使用者端末に新たなデータが貯蔵される場合、第１の貯蔵装置にも同一のデータが貯蔵されてもよく、使用者端末に貯蔵されたデータが削除される場合、第１の貯蔵装置に貯蔵された同一のデータも削除されてもよい。
【００９６】
他の実施形態において、第１の貯蔵装置は、使用者端末に貯蔵されるデータを蓄積し続けることができる。すなわち、使用者端末に新たなデータが貯蔵される場合、第１の貯蔵装置にも同一のデータが貯蔵されてもよいが、使用者端末に貯蔵されたデータが削除されても、第１の貯蔵装置に貯蔵された同一のデータは削除されないこともある。
【００９７】
本発明の一実施形態において、制御部１４は、予め設定された周期に応じて使用者端末のデータを第１の貯蔵装置に貯蔵することができる。他の実施形態において、制御部１４は、使用者の要請がある場合だけ使用者端末のデータを第１の貯蔵装置に貯蔵することができる。すなわち、使用者は、第１の貯蔵装置に貯蔵しようとするデータ及び貯蔵するデータの貯蔵時点を直接に選択してデータの貯蔵を要請することができ、制御部１４は、使用者の要請に応じて使用者が選択したデータを第１の貯蔵装置に貯蔵することができる。
【００９８】
次に、制御部１４は、第１の連結部１１に第１の貯蔵装置が連結された状態で、第２の連結部１２に第２の貯蔵装置が連結されているか確認する（Ｓ４０２）。
【００９９】
連結有無を確認した結果（Ｓ４０２）、第２の連結部１２に第２の貯蔵装置が連結されていれば、制御部１４は、第１の貯蔵装置と第２の貯蔵装置が同期化されるように制御する（Ｓ４０３）。このとき、制御部１４は、予め設定された周期に応じて第１の貯蔵装置と第２の貯蔵装置が同期化されるように制御する。ここで、第１の貯蔵装置と第２の貯蔵装置の同期化は、第１の貯蔵装置に貯蔵されたデータと同一のデータが第２の貯蔵装置に貯蔵されることを意味する。
【０１００】
前記第１の貯蔵装置と第２の貯蔵装置の相互間データ同期化中に問題が発生すれば（Ｓ４０３）、フォーマット処理部１５は、制御部１４における第１の貯蔵装置と第２の貯蔵装置の相互間データ同期化中に問題が発生する貯蔵装置を強制フォーマットする（Ｓ４０４）。この際に発生する問題は、システムの不安定、データ同期化の問題及びハードウェアの問題を含む。
【０１０１】
前述したように、本発明の一実施形態における制御部１４は、第１の貯蔵装置と第２の貯蔵装置が互いに相互データ同期化のため通信を行うが、この過程において、第１の貯蔵装置が通信を行う過程で第２の貯蔵装置のシステムが不安定であるかデータ同期に問題が発生すれば、フォーマット処理部１５は、第２の貯蔵装置を強制フォーマットする。その反面、第２の貯蔵装置が通信を行う過程において、第１の貯蔵装置で問題が発生すれば、フォーマット処理部１５は、第１の貯蔵装置を強制フォーマットする。易しい説明のため下記では、第２の貯蔵装置に問題が発生したことを説明する。しかし、これに限定されることではなく、第１の貯蔵装置に問題が発生した場合にも同じ過程からなる。
【０１０２】
カウンター１６は、フォーマット処理部１５で第２の貯蔵装置が強制フォーマットされる回数をカウンティングして、カウンティング回数を累積する（Ｓ４０５）。
【０１０３】
また、累積した第２の貯蔵装置のカウンティングされる回数は、予め設定された回数と比較する（Ｓ４０６）。
【０１０４】
上記比較の結果（Ｓ４０６）、予め設定された回数未満に問題が発生すれば、制御部１４は、フォーマット処理部１５で強制フォーマットが完了した第２の貯蔵装置を用いて、第１の貯蔵装置と第２の貯蔵装置の相互間データ同期化作業をさらに行う（Ｓ４０３）。
【０１０５】
一方、上記比較の結果（Ｓ４０６）、予め設定された回数以上に問題が発生すれば、フォーマット処理部１５０は、それ以上の強制フォーマットを行わない。また、お知らせ部１７は、使用者端末に該貯蔵装置の入れ替え又はメンテナンスに要する現在状況情報を伝達する（Ｓ４０７）。使用者端末へ現在状況情報を伝達する方法は、文字、電子メールを含んでいてもよい。
【０１０６】
このとき、現在状況情報は、第１の貯蔵装置及び第２の貯蔵装置の間のデータ同期化のための通信過程で発生する問題、又はフォーマット処理部１５で行われた強制フォーマットに対するヒストリー（ｈｉｓｔｏｒｙ）を記録して、その過程及び結果を使用者に知らせるための情報を含む。例えば、使用者に知らせる情報は、第１の貯蔵装置のデータ同期化過程で問題が発生し、第１の貯蔵装置を強制フォーマットする場合、第１の貯蔵装置を強制フォーマットして、フォーマットが成功的に行われたかに対する結果及びフォーマット回数、そしてフォーマット後にデータ同期が完了したか否かを含む。
【０１０７】
しかし、現在状況情報は、これに限定されるものではなく、第１の連結部１１及び第２の連結部１２にそれぞれ第１の貯蔵装置及び第２の貯蔵装置が連結された後、第１の貯蔵装置及び第２の貯蔵装置にデータを貯蔵する過程において、第１の貯蔵装置及び第２の貯蔵装置からデータを貯蔵した状態に対して使用者に知らせるための情報を含んでいてもよい。
【０１０８】
一方、制御部１４は、第１の貯蔵装置と第２の貯蔵装置が同期化されると（Ｓ４０３）、第２の貯蔵装置に貯蔵されたデータが第１の貯蔵装置に貯蔵されたデータと同一のデータになるように、第１の貯蔵装置のデータを第２の貯蔵装置に貯蔵することができる。すなわち、第２の貯蔵装置は、第１の貯蔵装置に貯蔵されたデータに対するバックアップ機能を行うことができる。
【０１０９】
本発明の一実施形態において、制御部１４は、予め設定された周期に応じて第１の貯蔵装置と第２の貯蔵装置が同期化されるように制御することができる。すなわち、制御部１４は、第１の貯蔵装置のデータを予め設定された周期に応じて第２の貯蔵装置に貯蔵することができる。
【０１１０】
このように、本発明のクラウドサービス提供装置は、第１の貯蔵装置に貯蔵されたデータを予め設定された周期に応じて第２の貯蔵装置に貯蔵することで、第１の貯蔵装置の故障によるデータの損失を防ぐことができる長所を有する。
【０１１１】
一方、連結有無を確認した結果（Ｓ４０２）、第２の連結部１２に第２の貯蔵装置が連結されていなければ、制御部１４は、継続して第１の貯蔵装置と使用者端末が互いにデータを交換するように通信部１３を制御し、使用者端末のデータを第１の貯蔵装置に貯蔵する。すなわち、第１の貯蔵装置は、使用者端末に貯蔵されたデータに対するリアルタイムバックアップ機能を行い続けることができる。
【０１１２】
その後、制御部１４は、第１の貯蔵装置が第１の連結部１１に連結されて、第２の貯蔵装置が第２の連結部１２に連結された状態で、第１の貯蔵装置の連結が解除されたか否かを確認する（Ｓ４０８）。
【０１１３】
解除有無を確認した結果（Ｓ４０８）、第１の貯蔵装置の連結が解除されていなければ、制御部１４は、継続して第１の貯蔵装置と使用者端末が互いにデータを交換するように通信部１３を制御し、使用者端末のデータを第１の貯蔵装置に貯蔵する。
【０１１４】
その反面、解除有無を確認した結果（Ｓ４０８）、第１の貯蔵装置の連結が解除されていれば、制御部１４は、第２の貯蔵装置と使用者端末が互いにデータを交換するように通信部１３を制御することで、使用者端末のデータを第２の貯蔵装置に貯蔵する（Ｓ４０９）。
【０１１５】
前述したように、本発明における第１の連結部１１と第１の貯蔵装置の連結の解除は、使用者が第１の貯蔵装置を第１の連結部１１から直接に分離する場合、及び第１の貯蔵装置に故障が発生し、使用者端末のデータが第１の貯蔵装置に正常に貯蔵されない場合を含む。
【０１１６】
本発明の一実施形態において、制御部１４は、第１の連結部１１と第１の貯蔵装置の連結が解除された場合、使用者端末のデータが第１の貯蔵装置ではなく、第２の貯蔵装置にリアルタイムで貯蔵されるように制御することができる。すなわち、第１の連結部１１と第１の貯蔵装置の連結が解除されれば、第１の貯蔵装置が行っていたリアルタイムバックアップ機能を第２の貯蔵装置がその代わりに行うことができる。このように、制御部１４は、第１の貯蔵装置に故障が発生する場合、第２の貯蔵装置に直接にデータを貯蔵することで、常時データ貯蔵機能を行うことができる長所を有する。
【０１１７】
次に、制御部１４は、第１の連結部１１に第１の貯蔵装置がさらに連結されたか否かを確認する（Ｓ４１０）。
【０１１８】
連結有無を確認した結果（Ｓ４１０）、第１の連結部１１に第１の貯蔵装置がさらに連結されていないものと確認されれば、制御部１４は、継続して第２の貯蔵装置と使用者端末が互いにデータを交換するように、通信部１３を制御することで、使用者端末のデータを第２の貯蔵装置に貯蔵する。
【０１１９】
また、連結有無を確認した結果（Ｓ４１０）、第１の連結部１１に第１の貯蔵装置がさらに連結されると、制御部１４は、第２の貯蔵装置の動作情報を参照して、第１の貯蔵装置と第２の貯蔵装置が同期化されるように制御する（Ｓ４０３）。
【０１２０】
ここで、第１の貯蔵装置と第２の貯蔵装置の同期化は、第２の貯蔵装置に貯蔵されたデータと同一のデータが第１の貯蔵装置に貯蔵されることを意味する。また、前述した前記第１の貯蔵装置と第２の貯蔵装置の相互間データ同期化過程を繰り返す。
【０１２１】
本発明の一実施形態において、第１の連結部１１に第１の貯蔵装置がさらに連結されることは、使用者が第１の貯蔵装置を第１の連結部１１に直接に連結する場合、及び故障が発生していた第１の貯蔵装置の故障が回復する場合を含む。すなわち、お知らせ部１７を介して使用者端末に該貯蔵装置の入れ替え又はメンテナンスに要する現在状況情報を伝達し、これによって、使用者が第１の貯蔵装置を入れ替った場合に相当し得る。
【０１２２】
前述したように、第２の貯蔵装置の動作情報は、第１の貯蔵装置の連結が解除された時点、第１の貯蔵装置がさらに連結された時点、第１の貯蔵装置の連結が解除された時点から、第１の貯蔵装置がさらに連結された時点の間に、第２の貯蔵装置に貯蔵されたデータに対する情報を含む。
【０１２３】
本発明の一実施形態において、第１の連結部１１に第１の貯蔵装置がさらに連結されると、制御部１４は、第１の貯蔵装置に貯蔵されたデータが第２の貯蔵装置に貯蔵されたデータと同一のデータになるように、第２の貯蔵装置のデータを第１の貯蔵装置に貯蔵することができる。すなわち、第１の貯蔵装置の連結が解除されたうちに、第２の貯蔵装置は、第１の貯蔵装置に代えてバックアップ機能を行うことができ、第１の貯蔵装置がさらに第１の連結部１１に連結されると、第１の貯蔵装置の連結が解除されたうちに、第２の貯蔵装置に貯蔵されたデータがさらに第１の貯蔵装置に貯蔵されてもよい。
【０１２４】
すなわち、本発明のクラウドサービス提供装置は、第１の貯蔵装置の故障が回復する場合、第１の貯蔵装置の故障が発生したうちに、第２の貯蔵装置に貯蔵されたデータをさらに第１の貯蔵装置に貯蔵することで、自ら第１の貯蔵装置のデータを復旧することができる長所を有する。
【０１２５】
図５は、本発明の一実施形態によるクラウドサービス提供装置を介して第２の使用者端末５２を制御する様子を示したものである。本発明における第２の使用者端末５２は、使用者が第１の使用者端末５１を介して制御することができる別途端末を意味する。
【０１２６】
図５を参照すれば、本発明の一実施形態における第１の使用者端末５１は、ネットワーク５を介してルーター（Ｒｏｕｔｅｒ）５４と連結されてもよい。このとき、ルーター５４は、クラウドサービス提供装置の通信部１３及び第２の使用者端末５２と連結されてもよい。すなわち、ルーター５４は、第１の使用者端末５１、第２の使用者端末５２及びクラウドサービス提供装置１の間でデータを伝達することができる。
【０１２７】
さらに図５を参照すれば、第１の使用者端末５１は、インターフェースを含むスマートフォンからなってもよく、第２の使用者端末５２は、コンピュータ５２２、スマートＴＶ５２４及びスマート冷蔵庫５２６のように、メモリ手段を備えてルーター５４と連結され、クラウドサービス提供装置１及び第１の使用者端末５１とデータを交換することができるデジタル機器を含んでいてもよい。
【０１２８】
本発明の一実施形態において、制御部１４は、第１の使用者端末５１を介して使用者の要請に応じて第２の使用者端末５２に対する制御を行うことができる。
【０１２９】
例えば、使用者が第１の使用者端末５１を介して第１の貯蔵装置又は第２の貯蔵装置に貯蔵されたデータを第２の使用者端末５２であるコンピュータ５２２に伝送するように要請する場合、制御部１４は、伝送を要請された第１の貯蔵装置又は第２の貯蔵装置に貯蔵されたデータをルーター５４を介して第２の使用者端末５２であるコンピュータ５２２に伝送することができる。
【０１３０】
他の例として、使用者が第１の使用者端末５１を介して第１の貯蔵装置又は第２の貯蔵装置に貯蔵された動画ファイルを第２の使用者端末５２であるスマート ＴＶ５２４で再生することを要請する場合、制御部１４は、再生を要請された第１の貯蔵装置又は第２の貯蔵装置に貯蔵された動画ファイルをルーター５４を介して第２の使用者端末５２であるスマートＴＶ５２４で再生することができる。
【０１３１】
すなわち、制御部１４は、使用者の要請に応じて第２の使用者端末５２を制御することができ、このような第２の使用者端末５２を制御するために第１の貯蔵装置又は第２の貯蔵装置に貯蔵されたデータを使用することができる。
【０１３２】
前述した本発明は、本発明が属する技術分野における通常の知識を有する者にとって本発明の技術的思想を脱しない範囲内で様々な置換、変形及び変更が可能であるため、前述した実施形態及び添付図によって限定されるものではない。
【図１】
2020030828.tif 000003
【図２】
2020030828.tif 000004
【図３】
2020030828.tif 000005
【図４】
2020030828.tif 000006
【図５】
2020030828.tif 000007